(57)【要約】【課題】  安定した火炎の形成が可能となるバーナによって、安定した品質の微粒子が作製できる微粒子製造装置を提供する。【解決手段】  主炎孔より反応容器１内に火炎ＫＥを吹き出すとともに主炎孔の周囲に配置した補助炎孔により火炎ＫＥの根元に補助炎ＫＨを形成するバーナ２と、微粒子の原料物質を含む原料流をバーナ２の火炎ＫＥによる高温雰囲気の反応空間ＨＫに噴出する原料噴出手段４と、前記噴出される原料流を覆うように反応気体流を噴出する気体噴出手段５を設け、火炎ＫＥの吹き出し方向と原料流の方向を交差させるとともに、原料噴出手段４から広がりながら噴出する原料流の外周部に火炎ＫＥの先端部を近接位置させる。【選択図】        図１
2008194637.tif 000002
【特許請求の範囲】
【請求項１】
主炎孔より反応容器内に火炎を吹き出すとともに主炎孔の周囲に配置した補助炎孔により火炎の根元に補助炎を形成するバーナと、微粒子の原料物質を含む原料流を前記バーナの火炎による高温雰囲気の反応空間に噴出する原料噴出手段と、前記噴出される原料流を覆うように反応気体流を噴出する気体噴出手段を設けている微粒子製造装置。
【請求項２】
前記火炎の吹き出し方向と前記原料流の方向を交差させるとともに、前記原料噴出手段から広がりながら噴出する前記原料流の外周部に前記火炎の先端部を近接位置させる請求項１に記載の微粒子製造装置。
【請求項３】
前記火炎の吹き出し方向と前記原料流の方向を交差させるとともに、前記原料噴出手段及び気体噴出手段を複数設けて各原料流及び各反応気体流同士が前記反応空間において互いに集中するように配置する請求項１又は２に記載の微粒子製造装置。
【請求項４】
前記火炎の吹き出し方向と前記原料流の方向を同軸状に配置するとともに、前記バーナと前記原料噴出手段及び前記気体噴出手段を一体的に形成している請求項１に記載の微粒子製造装置。
【請求項５】
前記反応容器内に冷却ガスを供給する冷却ガス供給手段を設けている請求項１から３のいずれか１項に記載の微粒子製造装置。
【請求項６】
前記原料噴出手段の原料噴出量に対する前記気体噴出手段の気体噴出量の容積比を１０００〜１００００の範囲にする請求項１から５のいずれか１項に記載の微粒子製造装置。
【請求項７】
前記バーナに供給する可燃性ガスと支燃性ガスを予め混合する混合器を設けている請求項１から６のいずれか１項に記載の微粒子製造装置。
【発明の詳細な説明】
【技術分野】
【０００１】
本発明は、バーナを熱源として原料物質を加熱し高温下で蒸発気化させた後、急冷して微粒子を製造する微粒子製造装置に関する。
【背景技術】
【０００２】
上記微粒子製造装置では、プロパン等の可燃性ガスと酸素等の支燃性ガスの各噴出口を同軸の多重管の端部に形成したバーナによって可燃性ガスを燃焼させて火炎を形成し、バーナの中心に位置させた噴射ノズルから粉末状、液体状、気体状の各原料を火炎中に若しくは火炎による高温領域に向けて噴射して微粒子を作製するようにしている（例えば特許文献１、２、３参照）。
【０００３】
【特許文献１】特開平７−２４７１０５号公報
【特許文献２】特開２０００−３０２４１７号公報
【特許文献３】特開２００１−１７８５７号公報
【発明の開示】
【発明が解決しようとする課題】
【０００４】
しかし、従来のバーナを熱源とする微粒子製造装置では、第１に可燃性ガスと支燃性ガスを均一に混合できないために、第２に根元に向かう火炎伝播速度と根元から噴出するガス噴出速度が釣り合わないために、反応容器内に吹き出す火炎の燃焼状態が不安定になり、その結果、微粒子の品質が変動するおそれがあった。上記第２の要因としては、バーナでの可燃性ガスと支燃性ガスの供給側の圧力変動の他に、原料液、冷却ガス、発生ガス等の外乱による可燃性ガスと支燃性ガスの圧力変動、火炎の熱変動などが考えられる。
【０００５】
本発明は、上記実情に鑑みてなされたものであり、その目的は、安定した火炎の形成が可能となるバーナによって、安定した品質の微粒子が作製できる微粒子製造装置を提供することにある。
【課題を解決するための手段】
【０００６】
上記目的を達成するための本発明に係る微粒子製造装置の第一特徴構成は、主炎孔より反応容器内に火炎を吹き出すとともに主炎孔の周囲に配置した補助炎孔により火炎の根元に補助炎を形成するバーナと、微粒子の原料物質を含む原料流を前記バーナの火炎による高温雰囲気の反応空間に噴出する原料噴出手段と、前記噴出される原料流を覆うように反応気体流を噴出する気体噴出手段を設けている点にある。
【０００７】
すなわち、バーナの主炎孔より反応容器内に吹き出す火炎の根元に補助炎孔により補助炎が形成されているので、当該補助炎により火炎の根元が加熱され温められて、可燃性ガスと支燃性ガスが均一に混合されない状態や、それらのガスの供給側の圧力変動が断続的に生じても失火することなく、また、火炎に対する外乱や熱変動も抑制され、火炎伝播速度とガス噴出速度が釣り合うようになり、反応容器内に吹き出す火炎の燃焼状態が安定する。そして、原料噴出手段から噴出した微粒子の原料物質を含む原料流とこれを覆うように気体噴出手段から噴出した反応気体流が上記火炎による高温雰囲気の反応空間に流入すると、反応気体流で覆われた原料流の外周部で原料物質が熱処理されて蒸発気化するとともに粒子が生成し、生成した粒子が反応気体流と共に移動するときに反応気体流によって速やかに急冷されて生成粒子同士の合体・凝集等が抑制され、所望の大きさの微粒子が得られる。
従って、安定した火炎の形成が可能となるバーナによって、安定した品質の微粒子が作製できる微粒子製造装置が提供される。
【０００８】
同第二特徴構成は、上記第一特徴構成において、前記火炎の吹き出し方向と前記原料流の方向を交差させるとともに、前記原料噴出手段から広がりながら噴出する前記原料流の外周部に前記火炎の先端部を近接位置させる点にある。
【０００９】
すなわち、原料噴出手段から広がり噴出する原料流の外周部に対して横向きに吹き出す火炎の先端部が近接位置しているので、原料流を火炎中に位置させた場合に火炎に対して不安定になる外乱を与えるおそれがある不都合を避けながら、火炎によって効率よく加熱して蒸発気化及び反応させることができる。
従って、例えばプラズマに比べて到達温度の低いバーナ火炎の熱量を有効に利用しつつ、安定した品質の微粒子が作製できる微粒子製造装置の好適な実施形態が提供される。
【００１０】
同第三特徴構成は、上記第一又は第二特徴構成において、前記火炎の吹き出し方向と前記原料流の方向を交差させるとともに、前記原料噴出手段及び気体噴出手段を複数設けて各原料流及び各反応気体流同士が前記反応空間において互いに集中するように配置する点にある。
【００１１】
すなわち、複数の原料噴出手段から噴射された原料流が高温雰囲気の反応空間内において集中し互いに衝突するので、原料噴出手段から噴射された原料流が上記反応空間を形成する容器壁等に達して粒子が付着し、微粒子として回収できない不都合を抑制することができるとともに、複数の原料流によって一度に多量の原料を供給して多量の微粒子を製造することができる。
従って、微粒子の製造効率を高めた微粒子製造装置の好適な実施形態が提供される。
【００１２】
同第四特徴構成は、上記第一特徴構成において、前記火炎の吹き出し方向と前記原料流の方向を同軸状に配置するとともに、前記バーナと前記原料噴出手段及び前記気体噴出手段を一体的に形成している点にある。
すなわち、火炎の吹き出し方向と原料流の方向が同軸状であるので、バーナと原料噴出手段及び気体噴出手段の一体化を簡素な構造によって容易に実現することができる。
従って、バーナ、原料噴出手段及び前記気体噴出手段を含む装置構造の簡素化、コンパクト化、コスト低減が可能となる微粒子製造装置の好適な実施形態が提供される。
【００１３】
同第五特徴構成は、上記第一から第四特徴構成のいずれかにおいて、前記反応容器内に冷却ガスを供給する冷却ガス供給手段を設けている点にある。
すなわち、反応空間内に冷却ガスを供給することにより反応気体流の高温化を防止して、反応気体流による生成粒子に対する急冷効果を高め、生成粒子が成長して大きくなる現象をより一層抑制することができるとともに、融点が低い生成粒子に対して反応気体流だけでは急冷効果が不足して生成粒子が互いに融着し、あるいは焼結して、粒子径が増大するような不都合を有効に回避させる。
従って、製造する微粒子の大きさを小さくするように制御することが可能となる微粒子製造装置の好適な実施形態が提供される。
【００１４】
同第六特徴構成は、上記第一から第五特徴構成のいずれかにおいて、前記原料噴出手段の原料噴出量に対する前記気体噴出手段の気体噴出量の容積比を１０００〜１００００の範囲にする点にある。
すなわち、上記容積比が１０００以下では冷却力が不足して生成粒子の融着及び焼結を有効に抑制できないおそれがある一方、上記容積比が１００００以上では冷却し過ぎてバーナの燃焼が不安定になったり、微粒子生成反応が促進されなくなるおそれがある。
従って、最適な状態で容器内を冷却することができる微粒子製造装置の好適な実施形態が提供される。
【００１５】
同第七特徴構成は、上記第一から第六特徴構成のいずれかにおいて、前記バーナに供給する可燃性ガスと支燃性ガスを予め混合する混合器を設けている点にある。
すなわち、可燃性ガスがバーナから吹き出すときに支燃性ガスによって極力完全燃焼状態に近い状態にすることができるので、火炎が一層安定する。特に不完全燃焼による可燃性ガス中の炭素の発生を防ぐことができる。
従って、安定した火炎によって微粒子の品質を均一にできるとともに、作製する微粒子への炭素の混入や容器壁への炭素の付着を回避することができる微粒子製造装置の好適な実施形態が提供される。
【発明を実施するための最良の形態】
【００１６】
本発明に係る微粒子製造装置の実施形態について図面に基づいて説明する。
図１に本発明の微粒子製造装置を含む微粒子製造システムの主要部の構成を示す。微粒子製造システムは、反応容器１を備えた微粒子製造装置１００と、微粒子製造装置１００で作製した微粒子を冷却して回収する回収器２０等で構成される。尚、微粒子製造装置１００から出た微粒子は冷却管（不図示）を通過して冷却された後、回収器２０に備えたバグフィルタによって集められる。
【００１７】
また、上記反応容器１内の圧力は、回収器２０よりも下流側に設けた排気装置によって減圧または加圧状態にされている。ここで、図示しないが、排気装置として、具体的には排気通路に排気用ファンやダンパを設けるとともに、反応容器１の内圧が一定圧に維持されるように、反応容器１の内圧を測る圧力センサの計測情報に基づいて、上記排気用ファンを駆動するファンモータの回転数をインバータ制御し、あるいは、上記ダンパの開度を変更調整している。このように反応容器１の内圧を一定圧に維持することで、後述のように、バーナ２の火炎を安定させ、また反応気体流ＧＲの流速を安定させ、生成される微粒子の大きさ（粒度）が安定する効果が得られる。また、反応容器１の内圧を一定圧に維持するためには反応容器１以降の配管や冷却管・回収器などの機器類に圧力センサを設置し、この圧力センサの計測情報に基づいて、上記ファンモータの回転数制御やダンパの開度調整を行うようにしてもよい。
【００１８】
上記反応容器１は、粒子出口が先細状に形成された円筒状の容器（あるいは先細状でない円筒に短管をつけた容器でもよい）に形成されて縦向き（出口が上向きまたは下向き）若しくは横向きに配置される。図１には容器１が縦向き（出口が下向き）配置の場合を示し、その上壁部には、容器内に高温雰囲気の反応空間ＨＫを作り出すためのバーナ２が設置されている。バーナ２は、図２にも示すように、主炎孔７より反応容器内に火炎ＫＥを吹き出すとともに主炎孔７の周囲に配置した補助炎孔８により火炎ＫＥの根元に補助炎ＫＨを形成する。尚、バーナ２には、可燃性ガスとしてのプロパンガスと支燃性ガスとしての酸素ガスが混合器６によって予め混合されてから供給されている。混合器６としては、図６（イ）に示すエジェクタ式や、図６（ロ）に示す遠心式などを用いる。
【００１９】
図２（イ）は、中央に主炎孔７に通じるガス通路ｇ１を形成した筒状のバーナ基部９と、このバーナ基部９の先端部外周面にネジ結合して環状形状の補助炎孔８に通じるガス通路ｇ２を形成するスリーブ１０によって構成し、小径の孔１１によってガス通路ｇ１を補助炎孔８に通じるガス通路ｇ２に連通させた場合を示す。図２（イ）では主炎孔７に対して環状の補助炎孔８を１つだけ設けているが、例えば３重管に形成して、図２（ニ）に示すように、中央の主炎孔７に対して同心円状の第１補助炎孔８Ｂ、第２補助炎孔８Ｃを順次設けるようにしたり、あるいは、図２（ホ）に示すように、３重管の真ん中の管を環状の主炎孔７Ａに形成し、この環状の主炎孔７Ａの内側の孔を第１補助炎孔８Ｄ、外側に隣接する管を第２補助炎孔８Ｅに形成してもよい。尚、図示はしないが、各補助炎孔８Ｂ，８Ｃ，８Ｄ，８Ｅには主炎孔７，７Ａより前記孔１１と同様の孔を経由して可燃性ガスと支燃性ガスの混合ガスが通流する。
【００２０】
図２（ロ）は、中央に主炎孔７に通じるガス通路ｇ３を形成した筒状のバーナ基部９Ａと、このバーナ基部９Ａの先端部外周面にネジ結合して補助炎孔８Ａに通じるガス通路ｇ４を形成するスリーブ１０Ａによって構成し、比較的大径の孔１２によってガス通路ｇ３を補助炎孔８Ａのガス通路ｇ４に連通させた場合を示す。図２（ロ）では、補助炎孔８Ａはスリーブ１０Ａの前面壁に環状に離散配置した小孔に形成されている。尚、図２（ロ）では補助炎孔８Ａの孔径は同一にしているが、図２（ハ）に示すように、例えば１つおきに小径と大径の補助炎孔８Ａ１，８Ａ２を並べる等、補助炎孔８Ａは適宜の大きさ、形状、配置に設定することができる。
【００２１】
さらに、微粒子の原料物質を含む原料流を前記バーナ２の火炎ＫＥによる高温雰囲気の反応空間ＨＫに噴出する原料噴出手段４と、前記噴出される原料流を覆うように反応気体流を噴出する気体噴出手段５を設けている。具体的には、前記火炎ＫＥの吹き出し方向と前記原料流の方向を交差させ、容器１の横側壁に原料噴出手段４と気体噴出手段５を構成するノズルユニット３が設けられている。また前記原料噴出手段４から広がりながら噴出する前記原料流の外周部に前記火炎ＫＥの先端部を近接位置させている。
【００２２】
ノズルユニット３は、図３に示すように、原料噴出手段としての液体ノズル４と、液体ノズル４の周囲に位置して、反応気体流ＧＲを形成する気体（具体的には酸素ガス）を液体ノズル４の軸芯方向に沿って噴出する気体噴出手段としての気体ノズル５とを備えている。尚、上記気体ノズル５には供給管５ａより酸素ガスが供給され、液体ノズル４には供給管４ａより原料液が供給され、上記原料流は液滴流として形成される。
【００２３】
上記気体ノズル５は、液体ノズル４の軸芯方向視において液体ノズル４に対して同心状に形成されている。具体的には、液体ノズル４が円形に形成され、気体ノズル５が、円形の液体ノズル４を中心にした円環に形成されている。なお、図３に各ノズル４，５の構造を模式的に示すが、（イ）は気液外部混合型を示し、（ロ）は気液内部混合型を示す。
【００２４】
なお、ノズルユニット３の構造は、例えば円筒形等の単一の部材内に液体ノズル４及び気体ノズル５用の流路を形成した構造（図３）に限られず、例えば、１本の液体ノズルを中心に配置し、その液体ノズルの周囲に液体ノズルとは別体の複数の気体ノズルを対称に配置したノズルユニットでもよい。
【００２５】
そして上記ノズルユニット３は、図４に示すように、複数設けられている。即ち、原料噴出手段（液体ノズル４）及び気体噴出手段（気体ノズル５）を複数（本形態では平面視において互いに１２０度をなす３個）設けて各原料流及び各反応気体流同士が前記反応空間ＨＫにおいて互いに集中するように配置している。
【００２６】
さらに、本発明の微粒子製造装置１００は、前記反応空間ＨＫを冷却するために、反応容器１内に冷却ガスを供給する冷却ガス供給手段１３を設けている。具体的には、反応容器１の上壁部に冷却ガスを吹き込む冷却ガスノズル１３を設けている。冷却ガスノズル１３には冷却ガスとして酸素、窒素、アルゴン、空気などのガスが供給される。尚、図示はしないが、容器１の外周部に水冷用のジャケットを配置して反応容器１を冷却するとともに容器内を外部から間接的に冷却する間接冷却手段を設けている。
【００２７】
次に、本発明の微粒子製造装置は、図５に模式的に示すように、微粒子の原料を含む原料流ＥＴと当該原料流ＥＴを覆う反応気体流ＧＲとを高温雰囲気の反応空間ＨＫに流入させ、前記原料流ＥＴの外周部で熱処理によって粒子を生成するとともに、生成した粒子を前記反応気体流ＧＲで冷却して微粒子を製造するものである。具体的には、反応気体として酸素ガスを用い、酸化反応によって微粒子の酸化物を製造している。
【００２８】
すなわち、噴出された原料流（即ち液滴流）ＥＴが反応空間ＨＫ内を進むと、温度上昇に伴って蒸発気化して原料気体流ＥＴに変化する。したがって、ＥＴで表わした流れ部分のうち左側の基部側は液滴流の領域であり、右側の先端側では原料気体流の領域となる。図５中、３は前記ノズルユニットであり、このノズルユニット３によって、反応気体流ＧＲの円錐の広がり角度θｇが液滴流（原料流）ＥＴの円錐の広がり角度θｅよりも大きくなるように形成している。
【００２９】
以下、本発明の微粒子製造装置の動作について説明する。
（１）粒子は原料流ＥＴの外周部（具体的には、原料気体流ＥＴに接する反応気体流ＧＲの界面付近）に発生する反応領域（燃焼部ゾーン）ＨＲで生成される。
（２）反応領域ＨＲ内の生成粒子は反応気体流ＧＲの移動速度と同等の速度で移動する。
（３）反応領域ＨＲが長くなってノズルの位置に近づくと（図５（ロ）の状態）、生成粒子が反応領域ＨＲ内に留まる滞留時間（高温雰囲気に保持される時間）が長くなり、また、反応気体流ＧＲによる冷却作用も小さくなるので、粒子同士の合体や粒子成長等が促進されて粒子径が大きくなる。
（４）逆に、反応領域ＨＲが短くなってノズルの位置から遠くなると（図５（イ）の状態）、生成粒子が反応領域ＨＲ内に留まる滞留時間（高温雰囲気に保持される時間）が短くなり、また、反応気体流ＧＲによる冷却作用も強くなるので、粒子同士の合体や粒子成長等が抑制されて粒子径が小さくなる。
【００３０】
そして、本発明の微粒子製造装置においては、製造する微粒子の大きさに応じて前記原料流ＥＴの流量に対する前記反応気体流ＧＲの流量の比（以下、容積比と呼ぶ）を変更設定して、製造する微粒子の大きさを制御することができる。具体的には、前記液体ノズル４の原料噴出量に対する前記気体ノズル５の気体噴出量の容積比を１０００〜１００００の範囲にすることが好ましい。
すなわち、容積比が大きい場合は、反応の対象となる液滴流ＥＴ内の原料物質の量が少なくなるので前記反応領域ＨＲが短くなり、生成粒子の反応領域ＨＲ内での滞留時間が短くなる場合に対応するので、製造される粒子径が小さくなる。一方、容積比が小さい場合は、反応の対象となる液滴流ＥＴ内の原料物質の量が多くなるので前記反応領域ＨＲが長くなり、生成粒子の反応領域ＨＲ内での滞留時間が長くなる場合に対応するので、製造される粒子径が大きくなる。
【００３１】
以下、実施例により本発明の微粒子製造装置による粒子作製を具体的に説明するが、本発明は下記の実施例に制限されるものではない。酸化ジルコニウム(ZrO2)及び酸化セリウム(CeO2)の粒子製造例を以下に示す。
【実施例１】
【００３２】
[ZrO2粒子の作製]
原料溶液はオクチル酸ジルコニウム88％溶液とオクチル酸を50：50の重量比で混合・攪拌したものを使用した。
バーナ2から酸素ガスを1.68Nm3/h,プロパンガスを0.42Nm3/hの条件で供給し、バーナを着火させた。その後、ノズルユニット3から原料溶液を6リットル/h、酸素ガスを36Nm3/h（容積比6000）の条件で供給し、粒子を合成した。尚、冷却ガスノズル１３による冷却ガスの供給は行わなかった。また粒子合成中の反応容器１の内圧は排気ファンおよび、圧力センサを用いて-10kPaの一定圧に制御した。
製品回収器20から回収した粒子の比表面積測定を窒素吸着による１点式ＢＥＴ法により測定した結果、51m2/gであった。また、比表面積から求めたＢＥＴ換算径は19nmであった。Ｘ線構造解析結果から酸化ジルコニウム（ZrO2）であることを確認した。
【実施例２】
【００３３】
[CeO2粒子の作製]
原料溶液は硝酸セリウム50%水溶液と2-プロパノールを50：50の重量比で混合・攪拌したものを使用した。
バーナ2から酸素ガス1.58Nm3/h,プロパンガス0.48Nm3/hの条件で供給し、バーナを着火させた。その後、ノズルユニット3から原料溶液を3リットル/h、酸素ガスを9Nm3/h（容積比3000）の条件で供給し、粒子を合成した。尚、冷却ガスノズル13からは空気を4.2Nm3/hの条件で供給した。また粒子合成中の反応容器１の内圧は排気ファンおよび、圧力センサを用いて-10kPaの一定圧に制御した。
製品回収器20から回収した粒子の比表面積測定を窒素吸着による１点式ＢＥＴ法により測定した結果、12m2/gであった。また、比表面積から求めたＢＥＴ換算径は68nmであった。Ｘ線構造解析結果から酸化セリウム（CeO2）であることを確認した。
【００３４】
〔別実施形態〕
上記実施形態では、反応気体流ＧＲを形成する気体として酸素ガスを用いて、熱処理として酸化（燃焼）化学反応を起こさせて酸化物の微粒子を製造したが、酸素ガスの代わりに窒素ガスを用いて窒化反応を起こさせて窒化物の微粒子を製造したり、あるいは、過剰のアルゴンガスと少量の酸素ガスを供給した場合には、上記酸化反応が抑制され、原料内に存在する物質との反応、例えば炭化反応により炭化物（例えば、ＳｉＣ）の微粒子を製造することも可能である。なお、熱処理として、化学反応以外の反応を用いてもよい。
【００３５】
上記実施形態では、ノズルユニット３を３個設置したが、ノズルユニット３の個数は適宜設定することができる。
【００３６】
上記実施形態では、火炎の吹き出し方向と原料流の方向を交差させるように配置したが、図７（（ロ）は（イ）のＩ−Ｉ位置での断面図である）及び図８（（ロ）（ハ）は（イ）のＪ−Ｊ位置での断面図である）に模式的に示すように火炎ＫＥの吹き出し方向と原料流の方向を同軸状に配置するとともに、前記バーナ２と前記原料噴出手段４及び前記気体噴出手段５を一体的に形成してもよい。図７に示す実施形態の場合、火炎ＫＥが環状に形成されるとともに、その火炎ＫＥの内側の原料液噴出孔１５から気体とともに原料流が噴出され、また火炎ＫＥの根元に環状の補助炎ＫＨが形成される。従って、原料液噴出孔１５によって原料噴出手段及び気体噴出手段が構成される。また、図８には、原料液噴出孔１５の周囲に環状の火炎ＫＥが形成されるとともにその環状の火炎ＫＥの根元に内側と外側から環状の補助炎孔８によって環状の補助炎ＫＨが形成される形態（図８（ロ））、又は原料液噴出孔１５の周囲に分散した主炎孔７によって点状の火炎ＫＥが形成されるとともにその点状の火炎ＫＥの根元に分散した補助炎孔８によって点状の補助炎ＫＨが形成される形態（図８（ハ））を示す。
【００３７】
尚、上記同軸一体型タイプのバーナ・ノズル構造としては、図７及び図８に示す形態の外に、火炎が中央に形成され、その火炎の根元に補助炎を形成するとともに、火炎の外側に火炎と同軸状に環状の原料流を噴出させるようにしてもよい。
【図面の簡単な説明】
【００３８】
【図１】本発明に係る微粒子製造装置の全体構成を示す概要図
【図２】バーナの構造を模式的に示す断面図と正面図
【図３】ノズル部の構造を模式的に示す断面図と正面図
【図４】ノズル部の配置を示す平面断面図
【図５】本発明の微粒子製造装置による微粒子作製状態を模式的に説明する図
【図６】混合器の構造を模式的に示す断面図と正面図
【図７】別実施形態のバーナ及びノズル構造を模式的に示す断面図
【図８】別実施形態のバーナ及びノズル構造を模式的に示す断面図
【符号の説明】
【００３９】
１          反応容器
２          バーナ
３          ノズルユニット
４          液体ノズル（原料噴出手段）
４ａ        供給管
５          気体ノズル（気体噴出手段）
５ａ        供給管
６          混合器
７          主炎孔
７Ａ        主炎孔
８          補助炎孔
８Ａ        補助炎孔
８Ａ１      補助炎孔
８Ａ２      補助炎孔
８Ｂ        補助炎孔
８Ｃ        補助炎孔
８Ｄ        補助炎孔
８Ｅ        補助炎孔
９          バーナ基部
９Ａ        バーナ基部
１０        スリーブ
１０Ａ      スリーブ
１１        孔
１２        孔
１３        冷却ガスノズル（冷却ガス供給手段）
１５        原料液噴出孔（原料噴出手段、気体噴出手段）
２０        回収器
１００      微粒子製造装置
ｇ１        ガス通路
ｇ２        ガス通路
ｇ３        ガス通路
ｇ４        ガス通路
ＥＴ        液滴流（原料流）
ＧＲ        反応気体流
ＨＫ        反応空間
ＨＲ        反応領域
ＫＥ        火炎
ＫＨ        補助炎
θｅ        角度
θｇ        角度
【図１】
2008194637.tif 000003
【図２】
2008194637.tif 000004
【図３】
2008194637.tif 000005
【図４】
2008194637.tif 000006
【図５】
2008194637.tif 000007
【図６】
2008194637.tif 000008
【図７】
2008194637.tif 000009
【図８】
2008194637.tif 000010